(57)【要約】【課題】蓋体を掴んでカップ容器を取り上げた際や移動した際に、蓋体から容器本体が抜けて落下することがないように確実かつ強固な係止を発揮させつつ、開蓋操作時においては係止を容易に外すことができるカップ容器を提供すること。【解決手段】内容物Ｌを収納した容器本体１の上端開口部を有頂短筒状の上蓋１０で覆って使用するカップ状容器であって、該上蓋１０の側壁部１３には、スリット１６によって画定される押出部１５が形成され、該押出部１５は内側に変形可能であり、該押出部１５が変形状態にて容器本体１の容器フランジ部３に係止することを特徴とするカップ状容器。【選択図】図１
2018052577.tif 000002
【特許請求の範囲】
【請求項１】
内容物（Ｌ）を収納した容器本体（１）の上端開口部を有頂短筒状の上蓋（１０）で覆って使用するカップ状容器であって、
該上蓋（１０）の側壁部（１３）には、スリット（１６）によって画定される押出部（１５）が形成され、
該押出部（１５）は内側に変形可能であり、該押出部（１５）が変形状態にて容器本体（１）の容器フランジ部（３）に係止することを特徴とするカップ状容器。
【請求項２】
前記スリット（１６）が下向きコの字状スリット（１６ａ）であり、該下向きコの字状スリット（１６ａ）によって画定された前記押出部（１５）が可動片（１５ａ）である請求項１に記載のカップ状容器。
【請求項３】
前記スリット（１６）が指掛けフランジ部（１７）を超えて上蓋（１０）の下端まで伸びる縦スリット（１６ｂ）であり、該縦スリット（１６ｂ、１６ｂ）によって前記押出部（１５）が画定され、該押出部（１５）は内側に窪んだ凹部（１５ｂ）である請求項１に記載のカップ状容器。
【請求項４】
前記押出部（１５）は、矩形形状の側壁部（１３）の長辺中央部近傍に設けられている請求項１又は２に記載のカップ状容器。
【発明の詳細な説明】
【技術分野】
【０００１】
本発明は、蓋付きのカップ状容器に関するものである。
【背景技術】
【０００２】
従来から例えば、ヨーグルトやジャム等の幅広い用途にカップ状容器が使用されている（例えば、特許文献１参照）。容器本体は、合成樹脂製や紙積層材料製のものがあり、その形状は、上端開口部が円形状や楕円形状や角を丸めた矩形状などである。そしてこれらカップ状容器は、容器本体の上部開口部の周縁に周設したフランジの下面に、蓋体の複数の係止片が係止して蓋体が外れないようにしている。
【０００３】
容器本体が紙製で蓋体が合成樹脂製のカップ容器において、保存時などで冷蔵保存した際に結露によって、紙製の容器本体のコシ（強度）が低下し、蓋体を掴んでカップ容器を取り上げた際や移動した際に蓋体と容器本体との係止が外れ、蓋体から容器本体が抜けて落下し、内容物を床にまき散らしてしまうことがあった。
【０００４】
一方、落下防止のために蓋体と容器本体の係止を強固なものとしてしまうと、係止が外れ難くなるものの開蓋がしづらくなり使い勝手が低下するだけではなく、子供や高齢者等の弱者や指先が不自由なものには蓋体を開けづらくなってしまう。
【先行技術文献】
【特許文献】
【０００５】
【特許文献１】特開２００７−１８６２６４号公報
【発明の概要】
【発明が解決しようとする課題】
【０００６】
本発明の目的は、上記した従来技術における問題点を解消することであり、蓋体を掴んでカップ容器を取り上げた際や移動した際に、蓋体から容器本体が抜けて落下することがないように確実かつ強固な係止を発揮させつつ、開蓋操作時においては係止を容易に外すことができるカップ状容器を提供することである。
【課題を解決するための手段】
【０００７】
上記課題を解決するため、本発明の主たる構成は、
内容物を収納した容器本体の上端開口部を有頂短筒状の上蓋で覆って使用するカップ状容器であって、
上蓋の側壁部には、スリットによって画定される押出部が形成され、
押出部は内側に変形可能であり、押出部の変形状態にて容器本体の容器フランジ部に係止することを特徴とする。
【０００８】
上記主たる構成からなるカップ状容器では、上蓋を掴んだ時にだけ押出部が内側に変形して確実かつ強固な係止を発揮させるため、上蓋から容器本体が抜けて落下することを防止することが達成される。また、押出部を掴んでいない時は内側に変形しないため、容器本体と上蓋の係止は開蓋操作によって容易に外すことできるカップ状容器となる。
【０００９】
また、本発明の他の構成は、スリットが下向きコの字状スリットであり、この下向きコの字状スリットによって画定された押出部が可動片というものである。
【００１０】
可動片を掴んでいない時は内側に変形しないため係止機能を発揮せず、容器本体と上蓋の係止は開蓋操作によって容易に外すことができる。
【００１１】
また、本発明の他の構成は、スリットが指掛けフランジ部を超えて上蓋の下端まで伸びる縦スリットであり、この縦スリット間によって押出部が画定され、押出部は内側に窪んだ凹部というものである。
【００１２】
スリットが指掛けフランジ部を超えて上蓋の下端まで伸びている縦スリットであるため、変形し易くなり縦スリット間を指先で掴んだ際は内側へ変形し易い構造となっている。また、押出部が内側に窪んだ凹部であるため容器フランジ部への係止が確実に達成される。
【００１３】
また、本発明の他の構成は、押出部が矩形形状の側壁部の長辺中央部近傍に設けられているものである。
【００１４】
使用者がカップ容器を取り上げる際や移動する際に指先で掴むことが多い矩形形状の上蓋の長辺中央部近傍の側壁部に押出部を設けることによって、確実かつ強固な係止を発揮させることが可能である。
【発明の効果】
【００１５】
本発明は、上記した構成となっているので、以下に示す効果を奏する。
本発明の主たる構成においては、上蓋を掴んでカップ容器を取り上げた際や移動した際に、容器本体と上蓋との係止がより確実かつ強固なものとなるため、上蓋から容器本体が抜けて落下し、内容物を床にまき散らすことを防止することができる。
また、本発明の構成においては、押出部を掴んでいない時は内側に変形しないため、開蓋操作時においては容器本体と上蓋の係止を容易に外すことができ開蓋可能である。
【図面の簡単な説明】
【００１６】
【図１】本発明のカップ状容器の半縦断正面図である。
【図２】蓋付きのカップ状容器の第１の実施形態を示す斜視図である。
【図３】第１の実施形態において上蓋を外そうとした際の斜視図である。
【図４】第１の実施形態で上蓋の長辺の側壁部であるＩ−Ｉ線での縦断面図であり（ａ）、側壁部を押した際の縦断面図である（ｂ）。
【図５】蓋付きのカップ状容器の第２の実施形態を示す斜視図である。
【図６】第２の実施形態において上蓋を外そうとした際の斜視図である。
【図７】第２の実施形態で上蓋の長辺の側壁部であるＩＩ−ＩＩ線での縦断面図であり（ａ）、側壁部を押した際の縦断面図である（ｂ）。
【発明を実施するための形態】
【００１７】
以下、本発明の実施形態について図面を参照しつつ説明する。
図１は本発明の蓋付きカップ状容器の半縦断正面図を示すもので、容器本体１の上端開口部を有頂短筒状の上蓋１０で覆っている食品用のカップ状容器である。
【００１８】
容器本体１は合成樹脂製又は紙積層材料製であり、コスト面からは紙積層材料が広く用いられている。紙積層は、基材となる紙の内面・外面に両面ラミネート加工したことで耐水性を向上させて、温度変化によって容器外面の結露ができた場合、その水滴によって紙のコシ（強度）が低下するのを防止している。また両面ラミネート加工により、冷凍庫内での膨潤や変形を防止でき、商品の美粧性を高めている。カップ状の容器本体１は、その胴部の平断面形状は角取した矩形状の周壁部２を有し、上端開口部には外鍔状の容器フランジ部３が周設されている。
【００１９】
そして容器本体１は、内容物Ｌ（本実施例ではヨーグルト）を収納した状態で、その上端開口部をシール蓋材で密封して販売される。シール蓋材は適度の剥離性を有して容器本体１の容器フランジ部３の上面に接着されており、初回使用時に剥がされ、その後は上蓋１０が外れると内容物Ｌが現れるようになる。
【００２０】
上蓋１０は矩形筒状の合成樹脂製であり、平坦な頂壁部１１を有し、頂壁部１１の下方には容器フランジ部３に載積する周縁部１２が形成されている。この周縁部１２の端縁から側壁部１３が垂下設され、その下端部には外鍔状の指掛けフランジ部１７が形成されている。上蓋１０の四隅のコーナー部の側壁部１３には、内側に凹んだコーナー係止片１４が設けられ、容器本体１を上蓋１０で閉じる時に容器本体１の容器フランジ部３の縁部に取り外しが容易にできる状態で、軽く係止している。
【００２１】
使用者がカップ容器を取り上げる際や移動する際に指先で掴むことが多い矩形形状の上蓋１０の長辺中央部近傍の側壁部１３には、スリット１６が設けられ、このスリット１６によって画定された押出部１５が配設されている。押出部１５は指先で掴まれた際に、内側に変形可能な構造である。
【００２２】
次に、このように構成された蓋付き容器の作用について説明する。
図２〜図４は蓋付きのカップ容器の第１の実施形態を示すものである。第１の実施形態においては、矩形形状の長辺中央部近傍の側壁部１３には下向きコの字状スリット１６ａが形成されており、それによって画定された可動片１５ａが設けられている。なお、下向きコの字状スリット１６ａの下端は指掛けフランジ部１７である。
【００２３】
図２に示される様に、使用者がカップ容器を指先で掴む際は上蓋１０の長辺中央部近傍であることが多いため、その長辺中央部近傍を掴んだ際は可動片１５ａが内側に押されて変形し傾斜する（図４（ｂ）を参照）。そして使用者が上蓋１０を掴んだまま上方にカップ状容器を持ち上げると、内側に傾斜して変形状態の可動片１５ａの上辺部が容器フランジ部３の縁部下面にアンダーカット状に係止することになり、容器本体１と上蓋１０の係止がより強固なものとなる。保存時などで冷蔵保存した際に結露によって、紙製の容器本体１のコシ（強度）が低下していても、上蓋１０を掴んでカップ状容器を取り上げた際や移動した際に上蓋１０と容器本体１との係止が外れ難くなるため、上蓋１０から容器本体１が抜けて落下することを防止することができる。
【００２４】
そして内容物Ｌを取り出す際には、可動片１５ａを掴んでいた指先を離したことで内側に押されていた可動片１５ａが元の位置に戻り（図４（ａ）を参照）、可動片１５ａによる容器フランジ部３への係止が解放され、その後、図３に示される様に上蓋１０の四隅いずれかの指掛けフランジ部１７を指先で下方から引き上げる開蓋操作によってコーナー係止片１４の係止が外れ、上蓋１０を容器本体１から取り外すことができる。
【００２５】
図５〜図７は蓋付きのカップ容器の第２の実施形態を示すものである。なお、図５〜図７においては、容器本体１を合成樹脂製としたことにより容器フランジ部３の形状が異なるが、前述した部材に対応する部材には同一の符号を付してある。
【００２６】
第２の実施形態においては、上蓋１０の矩形状の長辺の側壁部１３に指掛けフランジ部１７を超えて上蓋１０の下端まで伸びる縦スリット１６ｂ、１６ｂが設けられ、縦スリット１６ｂ、１６ｂ間の長辺中央部近傍には内側に窪んだ凹部１５ｂが画定されている（図７（ａ）を参照）。なお、図７（ａ）の状態では、凹部１５ｂは容器フランジ部３の縁部に取り外しが容易に可能な軽く係止した状態でしかない。
【００２７】
縦スリット１６ｂが指掛けフランジ部１７を超えて下端まで伸びているため側壁部１３が変形し易いため、図５に示される様に、使用者が縦スリット１６ｂ、１６ｂ間の長辺中央部近傍を掴んだ際は、凹部１５ｂが内側に押されて変形する（図７（ｂ）を参照）。そして使用者が凹部１５ｂを掴んだまま上方にカップ容器を持ち上げると、凹部１５ｂの上辺部が容器フランジ部３の縁部下面にアンダーカット状に係止することになり、容器本体１と上蓋１０の係止がより強固なものとなる。このように、上蓋１０を掴んだ際に容器本体１との係止が外れ難くなるため、上蓋１０から容器本体１が抜けて落下することを防止することができる。
【００２８】
そして内容物Ｌを取り出す際には、凹部１５ｂを掴んでいた指先を離したことで内側に押されて変形していた凹部１５ｂが元の位置に戻り、その後、図６に示される様に上蓋１０の四隅いずれの指掛けフランジ部１７を指先で下方から引き上げる開蓋操作によってコーナー係止片１４の係止が外れそれに伴い凹部１５ｂの係止も外れ、上蓋１０を容器本体１から取り外すことができる。
【００２９】
以上、実施例に沿って本発明の構成とその作用効果について説明したが、本発明の実施の形態は上記実施形態に限定されるものではない。
例えば上記実施形態では、ヨーグルト用のカップ状容器を例にして説明したが、本発明の作用効果はこの例に限定されるものでなく様々な用途に特に制約なく用いることができる。例えば、アイスクリーム用及び味噌用のカップ状容器においても本発明の作用効果が十分発揮される。また、上記実施形態では、容器本体１の横断面が矩形形状のものを説明したが長辺を有する楕円形状なども用いることができる。更に、容器本体１には、各種の合成樹脂製や金属製など特に制約なく用いることができる。
【産業上の利用可能性】
【００３０】
以上説明したように、本発明における蓋付きカップ状容器は指先で掴んだ際に係止が外れ難くなりより安心して使用することができるため、カップ状容器の分野における用途展開をさらに広い領域で図ることができる。
【符号の説明】
【００３１】
１    ；容器本体
２    ；周壁部
３    ；容器フランジ部
１０  ；上蓋
１１  ；頂壁部
１２  ；周縁部
１３  ；側壁部
１４  ；コーナー係止片
１５  ；押出部
１５ａ；可動片
１５ｂ；凹部
１６  ；スリット
１６ａ；下向きコの字状スリット
１６ｂ；縦スリット
１７  ；指掛けフランジ部
Ｌ    ；内容物
【図１】
2018052577.tif 000003
【図２】
2018052577.tif 000004
【図３】
2018052577.tif 000005
【図４】
2018052577.tif 000006
【図５】
2018052577.tif 000007
【図６】
2018052577.tif 000008
【図７】
2018052577.tif 000009